(57)【要約】【課題】  ドアホン副親機が映像を確認しながらドアホン親機と通話することができる無線テレビドアホンシステムを提供する。あわせて、ドアホン副親機がドアホン親機を介することなく他のドアホン副親機と通話することができる無線テレビドアホンシステムを提供する【解決手段】  ドアホン親機がドアホン副親機を呼び出す場合に、ドアホン副親機へ呼出指令信号とともにドアホン親機が備えるカメラで撮影した映像の映像信号およびマイクに入力した音声の音声信号を送信するようにした。また、ドアホン副親機が他のドアホン副親機と通信する場合に、ドアホン親機とドアホン副親機との間で確立されている無線通信リンクを切断し、ドアホン副親機と他のドアホン副親機との間の無線通信リンクを接続するようにした。【選択図】        図１
2006180207.tif 000002
【特許請求の範囲】
【請求項１】
カメラを備えるドアホン子機と、マイク、スピーカ、カメラおよび表示部を備え、前記ドアホン子機と通信するドアホン親機と、マイク、スピーカおよび表示部を備え、前記ドアホン親機を介して前記ドアホン子機と通信するドアホン副親機を少なくとも二台以上備える無線テレビドアホンシステムにおいて、
前記ドアホン親機は、
前記ドアホン副親機を呼び出す制御を指令する操作を行なうための親機呼出操作手段と、
該親機呼出操作手段の操作が検知された場合に、前記表示部に前記ドアホン副親機の一覧を表示する親機表示手段と、
前記表示部に表示された前記ドアホン副親機のうちのいずれかを選択する親機選択手段と、
前記親機選択手段が選択した前記ドアホン副親機へ、当該ドアホン副親機を呼び出すための呼出命令信号を送信する親機呼出命令信号送信手段と、
前記カメラで撮影された映像の映像信号および前記マイクに入力された音声の音声信号を送信する親機信号送信手段とをさらに備え、
前記ドアホン副親機は、
前記呼出命令信号を受信する副親機呼出命令信号受信手段と、
前記映像信号および前記音声信号を受信する副親機信号受信手段と、
該副親機信号受信手段が受信した前記映像信号を前記表示部へ出力し、前記音声信号を前記スピーカへ出力する副親機信号出力手段とをさらに備えることを特徴とする、無線テレビドアホンシステム。
【請求項２】
前記ドアホン副親機は、
前記ドアホン親機からの呼び出しに応答する制御を指令する操作を行なうための副親機応答操作手段と、
該副親機応答操作手段の操作が検知された場合に、前記ドアホン親機からの呼び出しに応答する応答指令信号を送信する副親機応答指令信号送信手段と、
前記マイクに入力された音声の音声信号を送信する副親機信号送信手段とをさらに備え、
前記ドアホン親機は、
前記副親機応答指令信号送信手段が送信した前記応答指令信号を受信する親機応答指令信号受信手段と、
前記副親機信号送信手段が送信した前記音声信号を受信する親機信号受信手段と、
該親機信号受信手段が受信した前記音声信号を前記スピーカへ出力する親機信号出力手段とをさらに備えることを特徴とする、請求項１に記載の無線テレビドアホンシステム。
【請求項３】
前記ドアホン副親機は、
他のドアホン副親機を呼び出す制御をする操作を行なうための副親機呼出操作手段と、
該副親機呼出操作手段の操作が検知された場合に、前記表示部に前記他のドアホン副親機の一覧を表示する副親機表示手段と、
前記表示部に表示された前記他のドアホン副親機のうちのいずれかを選択する副親機選択手段と、
前記ドアホン親機との無線通信のリンクを切断する副親間リンク切断手段と、
前記副親機選択手段が選択した前記他のドアホン副親機との無線通信のリンクを接続する副副間リンク接続手段と、
前記副親機選択手段が選択した前記他のドアホン副親機へ、当該他のドアホン副親機を呼び出すための呼出命令信号を送信する副親機呼出命令信号送信手段と、
前記マイクに入力された音声の音声信号を送信する副親機信号送信手段とをさらに備え、
前記ドアホン親機は、前記ドアホン副親機との無線通信のリンクを切断する親副間リンク切断手段をさらに備えることを特徴とする、請求項１に記載の無線テレビドアホンシステム。
【請求項４】
前記ドアホン副親機は、前記呼出命令信号を受信した前記他のドアホン副親機が送信した呼び出しに応答する応答指令信号を受信する副親機応答指令信号受信手段をさらに備え、
前記ドアホン副親機は、前記副親機応答指令信号受信手段が前記応答指令信号を受信した場合に、前記他のドアホン副親機と双方向の音声通信を行なうことを特徴とする、請求項３に記載の無線テレビドアホンシステム。
【請求項５】
前記ドアホン副親機は、
前記他のドアホン副親機との通信を終了するか否かを判定する通信終了判定手段と、
前記ドアホン親機との無線通信のリンクを接続する副親間リンク接続手段と、
前記他のドアホン副親機との無線通信のリンクを切断する副副間リンク切断手段とをさらに備え、
前記ドアホン親機は、前記ドアホン副親機との無線通信のリンクを接続する親副間リンク接続手段をさらに備えることを特徴とする、請求項３または請求項４に記載の無線テレビドアホンシステム。
【発明の詳細な説明】
【技術分野】
【０００１】
本発明は、無線テレビドアホンシステムに関する。詳しくは、ドアホン子機と、マイク、スピーカ、カメラおよび表示部を備え、ドアホン子機と通信するドアホン親機と、マイク、スピーカおよび表示部を備え、ドアホン親機を介してドアホン子機と通信するドアホン副親機を備える無線テレビドアホンシステムに関する。
【背景技術】
【０００２】
この種のテレビドアホンシステムとして従来から一般的に知られているものに、たとえば、一戸建てあるいはマンション等において、屋外に設置して来訪者を撮影するためのカメラを備えたドアホン子機と、住宅内に設置してドアホン子機のカメラで撮影された映像を表示するための表示部を備えたドアホン親機とを備えるテレビドアホンシステムがある。
【０００３】
このテレビドアホンシステムでは、来訪者がドアホン子機の呼出ボタンを押すと、ドアホン親機で来訪者の到来を知らせる報知音が鳴動すると共に、ドアホン子機のカメラで撮影された映像が、ドアホン親機の表示部に表示される。そのため、住人はわざわざ玄関に行かなくてもドアホン親機によって来訪者を確認し、対応することができる。このドアホン親機は、一般に住人が集まる場所、たとえば、居間、台所等に設置される。また、住人はドアホン副親機を複数台増設することにより、その他の場所でドアホン子機からの呼び出しに応答することができる。
【０００４】
また、従来のテレビドアホンシステムでは、一般的に、ドアホン子機とドアホン親機との間、あるいはドアホン親機とドアホン副親機との間は有線接続されていた。たとえば、住宅を新築する場合には、配線を隠すための工事が可能であるため、ドアホン副親機を屋内に設置しても、配線が美感を損ねることはない。しかし、既築住宅においては、ドアホン副親機を増設するためには、配線工事が新たに必要となる。そのため、配線を隠すことができない場合には、美感を損ねたり、配置場所が配線可能な場所に限定されたりするという問題があった。そこで、ドアホン親機とドアホン副親機との間を無線通信可能な構成にすることで、有線配線がないテレビドアホンシステムが提案されている。
【０００５】
たとえば、カメラ付きドアホン子機から送信された音声信号と映像信号とを受信し、受信した音声信号と映像信号とをモニタ付きインターホン副親機へ無線信号で送信し、また、モニタ付きインターホン副親機から無線送信される無線信号を受信するモニタ付きインターホン親機と、モニタ付きインターホン親機から無線信号により送信される音声信号と映像信号とを受信し、また、音声信号をモニタ付きインターホン親機へ無線で送信するモニタ付きインターホン副親機とを備えるモニタ付きワイヤレス通話システムがあった（特許文献１）。
【０００６】
このようなモニタ付きインターホン親機とモニタ付きインターホン副親機との間の無線方式として、たとえば、音声信号のみを無線送信するシステムの場合、コードレス電話などで実績のある小電力無線方式が多く採用されている。しかし、映像信号を無線送信する場合、そのままでは音声信号に比較して送信する情報量が増加するため、映像信号の圧縮が必要になり、また盗聴防止の観点からディジタル化して無線送信することが望まれる。
【０００７】
たとえば、モニタ付きインターホン親機とモニタ付きインターホン副親機との間の無線送信において、無線ＬＡＮ方式（ＩＥＥＥ８０２．１１等）やブルートゥース（Ｂｌｕｅｔｏｏｔｈ）規格方式で採用されているスペクトラム拡散方式を使用するモニタ付きワイヤレス通話システムがあった（特許文献２）。
【特許文献１】特開２０００−２２４３１６号公報
【特許文献２】特開２０００−２２４３１７号公報
【発明の開示】
【発明が解決しようとする課題】
【０００８】
特許文献１に示されるモニタ付きワイヤレス通話システムによれば、モニタ付きインターホン副親機を設置するための配線工事が不要である。また、モニタ付きインターホン親機とモニタ付きインターホン副親機とが無線接続されているため、モニタ付きインターホン副親機を携帯することができる。したがって、モニタ付きインターホン副親機を様々な場所で使用することができる。
【０００９】
特許文献２に示されるモニタ付きワイヤレス通話システムによれば、ノイズや妨害電波に強く、他人からも傍受されにくいテレビドアホンシステムを実現することができる。
【００１０】
しかしながら、従来のモニタ付きワイヤレス通信システムによれば、モニタ付きインターホン親機とモニタ付きインターホン副親機との間で室内通話を行なう場合に、音声通話のみで行なわれており、通話相手を映像で確認することができなかった。また、従来のテレビドアホンシステムでは、ドアホン副親機同士は、ドアホン親機を介して接続されている。そのため、ドアホン副親機は、他のドアホン副親機と室内通話を行なう際、ドアホン親機を経由しなければ通話することができなかった。
【００１１】
本発明は、係る事情に鑑み考え出されたものであり、その目的は、ドアホン副親機が映像を確認しながらドアホン親機と通話することができる無線テレビドアホンシステムを提供することである。あわせて、ドアホン副親機がドアホン親機を介することなく他のドアホン副親機と通話することができる無線テレビドアホンシステムを提供することである。
【課題を解決するための手段】
【００１２】
前述した目的を達成するためにこの発明のある局面によれば、無線テレビドアホンシステムは、カメラを備えるドアホン子機と、マイク、スピーカ、カメラおよび表示部を備え、ドアホン子機と通信するドアホン親機と、マイク、スピーカおよび表示部を備え、ドアホン親機を介してドアホン子機と通信するドアホン副親機を少なくとも二台以上備える無線テレビドアホンシステムにおいて、ドアホン親機は、ドアホン副親機を呼び出す制御を指令する操作を行なうための親機呼出操作手段と、親機呼出操作手段の操作が検知された場合に、表示部にドアホン副親機の一覧を表示する親機表示手段と、表示部に表示されたドアホン副親機のうちのいずれかを選択する親機選択手段と、親機選択手段が選択したドアホン副親機へ、ドアホン副親機を呼び出すための呼出命令信号を送信する親機呼出命令信号送信手段と、カメラで撮影された映像の映像信号およびマイクに入力された音声の音声信号を送信する親機信号送信手段とをさらに備え、ドアホン副親機は、呼出命令信号を受信する副親機呼出命令信号受信手段と、映像信号および音声信号を受信する副親機信号受信手段と、副親機信号受信手段が受信した映像信号を表示部へ出力し、音声信号をスピーカへ出力する副親機信号出力手段とをさらに備えることを特徴とする。
【００１３】
この発明に従えば、ドアホン副親機がドアホン親機から呼び出された場合に、ドアホン副親機のスピーカにドアホン親機のマイクに入力された音声が出力されるとともに、ドアホン副親機の表示部にドアホン親機が備えるカメラで撮影された映像が出力されるため、ドアホン副親機の利用者はドアホン親機の利用者を確認することができる。
【００１４】
好ましくは、ドアホン副親機は、ドアホン親機からの呼び出しに応答する制御を指令する操作を行なうための副親機応答操作手段と、副親機応答操作手段の操作が検知された場合に、ドアホン親機からの呼び出しに応答する応答指令信号を送信する副親機応答指令信号送信手段と、マイクに入力された音声の音声信号を送信する副親機信号送信手段とをさらに備え、ドアホン親機は、副親機応答指令信号送信手段が送信した応答指令信号を受信する親機応答指令信号受信手段と、副親機信号送信手段が送信した音声信号を受信する親機信号受信手段と、親機信号受信手段が受信した音声信号をスピーカへ出力する親機信号出力手段とをさらに備えることを特徴とする。
【００１５】
この発明に従えば、ドアホン副親機がドアホン親機から呼び出された場合に、ドアホン副親機のスピーカにドアホン親機のマイクに入力された音声が出力されるとともに、ドアホン副親機の表示部にドアホン親機が備えるカメラで撮影された映像が出力されるため、ドアホン副親機の利用者はドアホン親機の利用者を確認しながらドアホン親機からの呼び出しに応答するか否かを決めることができる。また、ドアホン副親機の利用者がドアホン親機からの呼び出しに応答してドアホン親機の利用者と通話する場合に、ドアホン親機の利用者を確認しながら通話することができる。
【００１６】
好ましくは、ドアホン副親機は、他のドアホン副親機を呼び出す制御をする操作を行なうための副親機呼出操作手段と、副親機呼出操作手段の操作が検知された場合に、表示部に他のドアホン副親機の一覧を表示する副親機表示手段と、表示部に表示された他のドアホン副親機のうちのいずれかを選択する副親機選択手段と、ドアホン親機との無線通信のリンクを切断する副親間リンク切断手段と、副親機選択手段が選択した他のドアホン副親機との無線通信のリンクを接続する副副間リンク接続手段と、副親機選択手段が選択した他のドアホン副親機へ、他のドアホン副親機を呼び出すための呼出命令信号を送信する副親機呼出命令信号送信手段と、マイクに入力された音声の音声信号を送信する副親機信号送信手段とをさらに備え、ドアホン親機は、ドアホン副親機との無線通信のリンクを切断する親副間リンク切断手段をさらに備えることを特徴とする。
【００１７】
この発明に従えば、ドアホン副親機がドアホン親機を介することなく他のドアホン副親機を呼び出すことができる。また、ドアホン副親機が他のドアホン副親機を呼び出す場合に、ドアホン親機はドアホン副親機から他のドアホン副親機を呼び出すための呼出命令信号を受信して、受信した呼出命令信号を他のドアホン副親機へ送信する処理を行なわなくてよいため、ドアホン親機の処理負担を軽減することができる。
【００１８】
好ましくは、ドアホン副親機は、呼出命令信号を受信した他のドアホン副親機が送信した呼び出しに応答する応答指令信号を受信する副親機応答指令信号受信手段をさらに備え、ドアホン副親機は、副親機応答指令信号受信手段が応答指令信号を受信した場合に、他のドアホン副親機と双方向の音声通信を行なうことを特徴とする。
【００１９】
この発明に従えば、ドアホン副親機がドアホン親機を介することなく他のドアホン副親機と通話することができる無線テレビドアホンシステムを提供することができる。
【００２０】
好ましくは、ドアホン副親機は、他のドアホン副親機との通信を終了するか否かを判定する通信終了判定手段と、ドアホン親機との無線通信のリンクを接続する副親間リンク接続手段と、他のドアホン副親機との無線通信のリンクを切断する副副間リンク切断手段とをさらに備え、ドアホン親機は、ドアホン副親機との無線通信のリンクを接続する親副間リンク接続手段をさらに備えることを特徴とする。
【００２１】
この発明に従えば、ドアホン副親機が映像を確認しながらドアホン親機と通話することができる無線テレビドアホンシステムを提供することができる。また、ドアホン副親機がドアホン親機を介することなく他のドアホン副親機と通話することができる無線テレビドアホンシステムを提供することができる。
【発明を実施するための最良の形態】
【００２２】
以下、本発明に係る無線テレビドアホンシステムの実施の形態について図面を参照しながら詳細に説明する。なお、以下の説明では、同一の装置には同一の符号を付してある。それらの名称および機能も同じである。従って、それらについての詳細な説明は繰り返さない。
【００２３】
図１は、無線テレビドアホンシステムを示すブロック図である。無線テレビドアホンシステムは、ドアホン子機１００、ドアホン親機２００、ドアホン副親機３００およびドアホン副親機４００とから構成されている。屋外に設置されたドアホン子機１００と屋内に設置されたドアホン親機２００とは有線接続されており、双方向通信が可能である。ドアホン親機２００とドアホン副親機３００およびドアホン副親機４００とは無線通信される。ドアホン副親機３００およびドアホン副親機４００は、ドアホン親機２００を介してドアホン子機１００と双方向通信が可能である。
【００２４】
なお、ドアホン親機２００とドアホン副親機３００およびドアホン副親機４００とは、Ｂｌｕｅｔｏｏｔｈによる無線通信が行なわれるが、無線通信の態様はこれに限られない。たとえば、無線ＬＡＮ方式による無線通信が行なわれるものであってもよい。また、本実施の形態では、ドアホン子機１００とドアホン親機２００とが有線接続されている例を示すが、ドアホン子機１００とドアホン親機２００とが無線接続されていてもよい。また、本実施の形態では、ドアホン親機２００にドアホン副親機が２台（ドアホン副親機３００およびドアホン副親機４００）接続されている例を示しているが、ドアホン親機２００にドアホン副親機が３台以上接続されているものであってもよい。各ドアホン副親機は、携帯可能で自由に移動でき、それぞれ異なる場所に設置される。
【００２５】
ドアホン子機１００には、カメラ部１０１、スピーカ部１０２、マイク部１０３、呼出ＳＷ（スイッチ）部１０４および多重化分離化回路部１０５が設けられている。
【００２６】
カメラ部１０１は、来訪者を撮影し、撮影した映像を映像信号に変換する。スピーカ部１０２は、ドアホン親機２００から送信されてきた音声信号あるいはドアホン副親機３００またはドアホン副親機４００からドアホン親機２００を介して送信されてきた音声信号を再生して音声を出力する。マイク部１０３は、来訪者が発した音声を音声信号に変換する。呼出ＳＷ部１０４には、たとえば、来訪者が操作するボタンが設けられている。来訪者がボタンを操作すると、ドアホン親機２００、ドアホン副親機３００およびドアホン副親機４００に設けられているスピーカ部から来訪者の到来を知らせるための報知音を鳴らすための呼出信号が発生する。
【００２７】
多重化分離化回路部１０５は、カメラ部１０１から送信されてきた映像信号、マイク部１０３から送信されてきた音声信号および呼出ＳＷ部１０４から送信されてきた呼出信号を多重化してドアホン親機２００へ送信する。また、多重化分離化回路部１０５は、ドアホン親機２００に設けられている多重化分離化回路部２０６から多重化して送信されてきた音声信号、制御信号およびドアホン子機１００を動作させるための電気信号等を受信する。そして、受信した音声信号、制御信号および電気信号等を分離し、分離した音声信号をスピーカ部１０２へ送信する。
【００２８】
ドアホン親機２００には、多重化分離化回路部２０６、表示部２０７、スピーカ部２０８、マイク部２０９、映像信号圧縮部２１０、呼出応答ＳＷ（スイッチ）部２１１、制御部２１２、無線送信部２１３、無線受信部２１４、タイマ２１５、ＬＥＤ２１６、切替ＳＷ（スイッチ）部２１７、デコーダ部２１８およびカメラ部２１９が設けられている。
【００２９】
多重化分離化回路部２０６は、ドアホン子機１００の多重化分離化回路部１０５から多重化して送信されてきた映像信号、音声信号および呼出信号を受信する。そして、受信した映像信号、音声信号および呼出信号を分離する。また、多重化分離化回路部２０６は、音声信号、制御信号およびドアホン子機１００を動作させるための電気信号等を多重化してドアホン子機１００へ送信する。
【００３０】
デコーダ部２１８は、多重化分離化回路部２０６で分離されたアナログ映像信号をディジタル映像信号に変換し、表示部２０７へ送信する。また、デコーダ部２１８は、カメラ部２１９から送信されてきた映像信号を入力し、ディジタル映像信号に変換し、表示部２０７へ送信する。ドアホン子機１００からの映像信号と、カメラ部２１９からの映像信号の切り替えは、ドアホン親機２００の制御部２１２が各種処理の判定に基づいて実行する。
【００３１】
表示部２０７は、デコーダ部２１８から送信されてきたディジタル映像信号あるいは制御部２１２から送信されてきた映像信号を再生して映像を表示する。スピーカ部２０８は、多重化分離化回路部２０６で分離されたドアホン子機１００からの音声信号あるいはドアホン副親機３００またはドアホン副親機４００からの音声信号を再生して音声を出力する。マイク部２０９は、ドアホン親機２００の利用者が発した音声を音声信号に変換する。
【００３２】
映像信号圧縮部２１０は、デコーダ部２１８で変換されたディジタル映像信号を圧縮する。映像信号を圧縮するのは、音声信号に比べて情報量が大きいため、ドアホン親機２００とドアホン副親機３００またはドアホン副親機４００との間の無線送信にかかる負担を減らすためである。
【００３３】
呼出応答ＳＷ部２１１には、たとえば、ドアホン親機２００の利用者（たとえば、住人）が操作するボタンが設けられている。たとえば、ドアホン子機１００、ドアホン副親機３００またはドアホン副親機４００から呼び出しがかかっているときに、ドアホン親機２００の利用者が呼出応答ＳＷ部２１１を操作すると、その呼び出しに対して応答することができる。また、ドアホン副親機３００またはドアホン副親機４００を呼び出したいときに、ドアホン親機２００の利用者が呼出応答ＳＷ部２１１を操作すると、ドアホン副親機３００またはドアホン副親機４００を呼び出すことができる。
【００３４】
制御部２１２は、ドアホン子機１００、ドアホン副親機３００またはドアホン副親機４００からの呼び出しに対する応答、あるいは呼出応答ＳＷ部２１１からの呼び出しや応答に従って適切に映像信号、音声信号および制御信号等の送受信を制御する。無線送信部２１３は、制御部２１２から送信されてきた音声信号、制御信号および圧縮された映像信号等をドアホン副親機３００またはドアホン副親機４００に無線送信する。無線受信部２１４は、ドアホン副親機３００またはドアホン副親機４００から無線送信されてきた音声信号および制御信号等を受信し、制御部２１２に送信する。
【００３５】
タイマ２１５は、たとえば、ドアホン親機２００の利用者がドアホン副親機３００またはドアホン副親機４００を呼び出すために呼出応答ＳＷ部２１１に設けられているボタンを操作して、ドアホン副親機３００またはドアホン副親機４００へ呼出命令信号が送信されてから経過した時間を計測し、計測した時間データを制御部２１２へ送信する。ＬＥＤ２１６は、たとえば、ドアホン親機２００がドアホン副親機３００またはドアホン副親機４００を呼び出しているとき、あるいはドアホン子機１００、ドアホン副親機３００またはドアホン副親機４００から呼び出されているとき等に、制御部２１２に制御されて点灯する。ＬＥＤ２１６は、ドアホン親機２００の利用者にドアホン親機２００がドアホン副親機３００またはドアホン副親機４００を正常に呼び出していること、あるいはドアホン子機１００、ドアホン副親機３００またはドアホン副親機４００から呼び出しを受けて呼出状態であることを認識させるための手段の一つである。
【００３６】
切替ＳＷ部２１７には、たとえば、ドアホン親機２００の利用者が操作するボタン等が設けられている。たとえば、ドアホン親機２００の利用者がドアホン副親機３００またはドアホン副親機４００の利用者と室内通話する場合等に、ドアホン親機２００の利用者が切替ＳＷ部２１７を操作すると、呼び出し先のドアホン副親機を選択し、切り替えることができる。
【００３７】
ドアホン副親機３００には、無線受信部３１７、無線送信部３１８、呼出応答ＳＷ部３１９、制御部３２０、映像信号伸張部３２１、表示部３２２、スピーカ部３２３、マイク部３２４、ＬＥＤ３２５、切替ＳＷ（スイッチ）部３２６、タイマ３２７が設けられている。
【００３８】
無線受信部３１７は、ドアホン親機２００の無線送信部２１３から無線送信されてきた音声信号、制御信号および圧縮された映像信号等を受信する。また、無線受信部３１７は、ドアホン副親機４００の無線送信部３１８から無線送信されてきた音声信号等を受信する。無線送信部３１８は、ドアホン親機２００またはドアホン副親機４００に音声信号および制御信号等を無線送信する。呼出応答ＳＷ部３１９には、たとえば、ドアホン副親機３００の利用者（たとえば、住人）が操作するボタン等が設けられている。たとえば、ドアホン子機１００、ドアホン親機２００またはドアホン副親機４００から呼び出しがかかっているときに、ドアホン副親機３００の利用者が呼出応答ＳＷ部３１９を操作すると、その呼び出しに対して応答することができる。また、ドアホン親機２００またはドアホン副親機４００を呼び出したいときに、ドアホン副親機３００の利用者が呼出応答ＳＷ部３１９を操作すると、ドアホン親機２００またはドアホン副親機４００を呼び出すことができる。
【００３９】
制御部３２０は、ドアホン子機１００、ドアホン親機２００またはドアホン副親機４００からの呼び出しに対する応答、あるいはドアホン副親機３００からの呼び出しに従って適切に映像信号、音声信号および制御信号の送受信を制御する。
【００４０】
映像信号伸張部３２１は、制御部３２０を介してドアホン親機２００から送信されてきた圧縮されている映像信号を伸張する。表示部３２２は、映像信号伸張部３２１から送信されてきた伸張された映像信号あるいは制御部３２０から送信されてきた映像信号を再生して映像を表示する。スピーカ部３２３は、ドアホン親機２００あるいはドアホン副親機４００から送信されてきた音声信号を再生して音声を出力する。マイク部３２４は、ドアホン副親機３００の利用者が発した音声を音声信号に変換する。マイク部３２４で変換された音声信号は、制御部３２０へ送信され、無線送信部３１８を介してドアホン親機２００、ドアホン子機１００またはドアホン副親機４００へ送信される。
【００４１】
ＬＥＤ３２５は、たとえば、ドアホン副親機３００がドアホン親機２００またはドアホン副親機４００を呼び出しているとき、あるいはドアホン親機２００またはドアホン副親機４００から呼び出されているとき等に、制御部３２０に制御されて点灯する。ＬＥＤ３２５は、ドアホン副親機３００の利用者にドアホン副親機３００がドアホン親機２００またはドアホン副親機４００を正常に呼び出していること、あるいはドアホン親機２００またはドアホン副親機４００から呼び出しを受けて呼出状態であることを認識させるための手段の一つである。
【００４２】
切替ＳＷ部３２６には、たとえば、ドアホン副親機３００の利用者が操作するボタン等が設けられている。たとえば、ドアホン副親機３００の利用者がドアホン親機２００またはドアホン副親機４００の利用者と室内通話する場合等に、ドアホン副親機３００の利用者が切替ＳＷ部３２６を操作すると、呼び出し先のドアホン親機２００またはドアホン副親機４００を選択し、切り替えることができる。
【００４３】
なお、ドアホン副親機４００は、ドアホン副親機３００と同じ構成であるため、ここでは説明を繰り返さない。また、制御信号は、呼出・応答などの情報を含み、映像信号や音声信号の送受信などを適切に制御するための信号である。
【００４４】
次に、図２から図７までを参照して、ドアホン親機２００の利用者がドアホン副親機を呼び出した場合に、ドアホン副親機の利用者がドアホン親機２００からの呼び出しに応答して、ドアホン親機２００の利用者とドアホン副親機の利用者とが通話する流れについて説明する。まず、図２および図３を参照して、ドアホン親機２００の利用者がドアホン副親機を呼び出した場合に、ドアホン副親機の利用者がドアホン親機２００からの呼び出しに応答するまでの流れについて説明する。
【００４５】
図２は、ドアホン親機２００の制御部２１２が実行する室内呼出命令処理を示すフローチャートである。ステップＳ（以下、単に「Ｓ」と記載する）２０１において、呼出信号が検知される。ドアホン親機２００が待機状態である場合に、ドアホン親機２００の利用者が呼出応答ＳＷ部２１１を操作すると、呼出信号が生成され、生成された呼出信号が制御部２１２で検知される。待機状態とは、たとえば、ドアホン親機２００のカメラ部２１９で映像の撮影が行なわれず、スピーカ部２０８から音声の出力ができず、マイク部２０９に音声の入力ができない状態をいう。
【００４６】
Ｓ２０２において、ドアホン親機２００を起動状態に移行する処理が行なわれる。起動状態とは、たとえば、ドアホン親機２００のカメラ部２１９で映像の撮影が行なわれ、スピーカ部２０８から音声の出力ができ、マイク部２０９に入力されたドアホン親機２００の利用者の音声が音声信号に変換できる状態をいう。Ｓ２０３において、ドアホン親機２００の表示部２０７へ無線テレビドアホンシステムに属しているドアホン副親機の一覧（この実施の形態では、ドアホン副親機３００およびドアホン副親機４００）を表示する処理が行なわれる。
【００４７】
Ｓ２０４において、ドアホン親機２００の利用者により呼び出すドアホン副親機が選択される。ドアホン副親機の選択は、ドアホン親機２００の利用者が、タッチパネルになっているドアホン親機２００の表示部２０７に触れてドアホン副親機を選択してもよいし、切替ＳＷ部２１７を操作してドアホン副親機を選択してもよい。ドアホン親機２００の利用者の選択操作が制御部２１２で検知され、呼び出すドアホン副親機が選択される。ここでは、説明の便宜のため、ドアホン副親機３００が選択されたとして説明する。
【００４８】
Ｓ２０５において、無線送信部２１３を介してＳ２０４で選択されたドアホン副親機３００へ、ドアホン副親機３００を呼び出すための呼出命令信号が送信される。Ｓ２０６において、タイマ２１５が初期化される。タイマは、Ｓ２０５で呼出命令信号がドアホン副親機３００へ送信されてから経過した時間を計測する。
【００４９】
Ｓ２０８において、Ｓ２０４で選択されたドアホン副親機３００へ映像信号が送信される。この映像信号は、ドアホン親機２００のカメラ部２１９で撮影された映像の映像信号である。映像信号は、デコーダ部２１８でディジタル化された後、映像信号圧縮部２１０で圧縮され、無線送信部２１３を介してドアホン副親機３００へ送信される。Ｓ２０９において、Ｓ２０４で選択されたドアホン副親機３００へ音声信号が送信される。この音声信号は、ドアホン親機２００のマイク部２０９に入力されたドアホン親機２００の利用者の音声の音声信号である。音声信号は、無線送信部２１３を介してドアホン副親機３００へ送信される。
【００５０】
Ｓ２１０において、後述する図４のＳ４０１でドアホン副親機３００から送信された応答指令信号を受信したか否かが判定される。ドアホン副親機３００が後述する呼出状態である場合に、ドアホン副親機３００の利用者がドアホン親機２００からの呼び出しに応答にしてもよいと判断して、ドアホン副親機３００の呼出応答ＳＷ部３１９を操作すると、応答信号が生成され、生成された応答信号を検知したドアホン副親機３００の制御部３２０がドアホン親機２００へ応答指令信号を送信する。ドアホン副親機３００から送信された応答指令信号を受信したと判定された場合は、Ｓ２１３において、ドアホン親機２００の制御部２１２により通話許可処理が実行される。詳しくは、図５を参照しながら後述する。一方、応答指令信号を受信していないと判定された場合は、Ｓ２１１において、タイマがタイムアップしたか否かが判定される。タイマがタイムアップしていないと判定された場合は、Ｓ２０８に戻る。
【００５１】
一方、Ｓ２１１において、タイマがタイムアップしたと判定された場合は、Ｓ２１２に進む。Ｓ２１２において、ドアホン親機２００を待機状態に移行する処理が行なわれる。これは、Ｓ２１１でタイマがタイムアップしたと判定された場合は、ドアホン副親機３００の利用者がドアホン親機２００からの呼び出しに応答しないと判定するためである。待機状態に移行することにより、ドアホン親機２００の消費電力を抑えることができる。その後、このフローチャートは終了する。
【００５２】
図３は、ドアホン副親機３００の制御部３２０が実行する室内呼出処理を示すフローチャートである。Ｓ３０１において、図２のＳ２０５でドアホン親機２００から送信された呼出命令信号が無線受信部３１７を介して受信される。Ｓ３０２において、ドアホン副親機３００を呼出状態に移行する処理が行なわれる。呼出状態とは、たとえば、ドアホン副親機３００の表示部３２２およびスピーカ部３２３が起動状態となり、ドアホン副親機３００の表示部３２２へドアホン親機２００から呼び出されている旨が表示されたり、ドアホン副親機３００のスピーカ部３２３から予め定められた報知音が鳴動されたり、ドアホン副親機３００のＬＥＤ３２５が点灯されたりする状態をいう。
【００５３】
Ｓ３０３において、図２のＳ２０８でドアホン親機２００から送信された映像信号が無線受信部３１７を介して受信される。Ｓ３０４において、図２のＳ２０９でドアホン親機２００から送信された音声信号が無線受信部３１７を介して受信される。Ｓ３０５において、Ｓ３０３で受信された映像信号を表示部３２２へ送信する処理が行なわれる。Ｓ３０３で受信された映像信号は圧縮されているため、映像信号伸張部３２１において伸張処理がされた後、表示部３２２へ送信される。その結果、ドアホン副親機３００の表示部３２２でドアホン親機２００のカメラ部２１９で撮影された映像が表示される。Ｓ３０６において、Ｓ３０４で受信された音声信号をスピーカ部３２３へ送信する処理が行なわれる。その結果、ドアホン副親機３００のスピーカ部３２３でドアホン親機２００のマイク部２０９に入力されたドアホン親機２００の利用者の音声が出力される。
【００５４】
Ｓ３０７において、ドアホン親機２００からの呼び出しに対する応答信号を検知したか否かが判定される。応答信号は、たとえば、ドアホン副親機３００が呼出状態に移行されたことにより、ドアホン副親機３００の表示部３２２に表示されたドアホン親機２００から呼び出されている旨を見たり、ドアホン副親機３００のスピーカ部３２３から出力される報知音を聞いたり、Ｓ３０５でドアホン副親機３００の表示部３２２に表示された映像を見たり、Ｓ３０６でドアホン副親機３００のスピーカ部３２３に出力された音声を聞いたりしたドアホン副親機３００の利用者が、ドアホン親機２００からの呼び出しに応答してもよいと判断して呼出応答ＳＷ部３１９を操作したときに生成され、制御部３２０で検知される。ドアホン副親機３００の近くに住人等がおらず、呼出応答ＳＷ部３１９が操作されないために、応答信号を検知していないと判定された場合は、Ｓ３０３に戻る。一方、応答信号を検知したと判定された場合は、Ｓ３０８に進み、ドアホン副親機３００の制御部３２０により室内応答処理が実行された後、このフローチャートは終了する。
【００５５】
以上が、ドアホン親機２００の利用者がドアホン副親機を呼び出した場合に、ドアホン副親機の利用者がドアホン親機２００からの呼び出しに応答するまでの流れである。
【００５６】
次に、図４から図７までを参照して、ドアホン親機２００の利用者がドアホン副親機３００を呼び出した場合に、ドアホン副親機３００の利用者がドアホン親機２００からの呼び出しに応答して、ドアホン親機２００の利用者とドアホン副親機３００の利用者とが通話する流れについて説明する。
【００５７】
図４は、ドアホン副親機３００の制御部３２０が実行する室内応答処理を示すフローチャートである。Ｓ４０１において、無線送信部３１８を介してドアホン親機２００へ応答指令信号が送信される。応答指令信号は、図３のＳ３０７でドアホン副親機３００の制御部３２０が応答信号を検知したと判定したときに生成される。この応答指令信号を、図２のＳ２１０で受信したと判定されたときに、Ｓ２１３の処理が行なわれる。Ｓ４０２において、後述する図５のＳ５０１でドアホン親機２００から送信された通話許可信号が無線受信部３１７を介して受信される。
【００５８】
Ｓ４０３において、ドアホン副親機３００を通話状態に移行する処理が行なわれる。通話状態とは、たとえば、表示部３２２、スピーカ部３２３およびマイク部３２４が起動状態となり、ドアホン副親機３００の表示部３２２へドアホン親機２００から送信された映像信号の映像を表示させたり、ドアホン副親機３００のスピーカ部３２３へドアホン親機２００から送信された音声信号の音声を出力させたり、ドアホン副親機３００のマイク部３２４に入力されたドアホン副親機３００の利用者の音声を音声信号に変換してドアホン親機２００へ送信する状態をいう。Ｓ４０４において、ドアホン副親機３００の制御部３２０により室内通話処理が実行された後、このフローチャートは終了する。
【００５９】
図５は、ドアホン親機２００の制御部２１２が実行する通話許可処理を示すフローチャートである。通話許可処理は、図２のＳ２１３で実行される処理である。Ｓ５０１において、無線送信部２１３を介してドアホン副親機３００へ通話許可信号が送信される。図２のＳ２１０でドアホン副親機３００から応答指令信号を受信したということは、ドアホン副親機３００の利用者がドアホン親機２００の利用者と通話する意思があるということなので、ドアホン副親機３００との通信を確立するために通話許可信号が送信される。Ｓ５０２において、ドアホン親機２００の制御部２１２により室内通話処理が実行された後、このフローチャートは終了する。
【００６０】
図６は、ドアホン親機２００の制御部２１２が実行する室内通話処理を示すフローチャートである。Ｓ６０１において、ドアホン親機２００のカメラ部２１９で撮影された映像の映像信号が無線送信部２１３を介してドアホン副親機３００へ送信される。Ｓ６０２において、ドアホン親機２００のマイク部２０９に入力されたドアホン親機２００の利用者の音声の音声信号が無線送信部３１７を介してドアホン副親機３００へ送信される。
【００６１】
Ｓ６０３において、後述する図７のＳ７０５でドアホン副親機３００から送信された音声信号が無線受信部２１４を介して受信される。Ｓ６０４において、Ｓ６０３で受信された音声信号をスピーカ部２０８へ送信する処理が行なわれる。その結果、スピーカ部２０８でドアホン副親機３００のマイク部３２４に入力されたドアホン副親機３００の利用者の音声が出力される。
【００６２】
Ｓ６０５において、ドアホン副親機３００との通話が終了したか否かが判定される。たとえば、ドアホン副親機３００の利用者がドアホン副親機３００の呼出応答ＳＷ部３１９を操作すれば、たとえば、通話の終了を示す通話終了信号が生成され、生成された通話終了信号が制御部３２０から無線送信部３１８を介してドアホン親機２００の制御部２１２へ送信されてくる。また、たとえば、ドアホン親機２００の利用者がドアホン副親機３００の利用者がドアホン副親機３００の呼出応答ＳＷ部３１９を操作するよりも先にドアホン親機２００の呼出応答ＳＷ部２１１を操作すれば、通話終了信号が生成され、生成された通話終了信号が制御部２１２で検知される。制御部２１２で通話終了信号が検知されなければ、ドアホン親機２００とドアホン副親機３００との通話が終了していないと判定され、Ｓ６０１に戻る。一方、制御部２１２で通話終了信号が検知されれば、通話が終了したと判定され、Ｓ６０６において、ドアホン親機２００を待機状態に移行する処理が行なわれる。待機状態に移行することにより、ドアホン親機２００の消費電力を抑えることができる。その後、このフローチャートは終了する。
【００６３】
図７は、ドアホン副親機３００の制御部３２０が実行する室内通話処理を示すフローチャートである。Ｓ７０１において、図６のＳ６０１でドアホン親機２００から送信された映像信号が無線受信部３１７を介して受信される。Ｓ７０２において、図６のＳ６０２でドアホン親機２００から送信された音声信号が無線受信部３１７を介して受信される。Ｓ７０３において、Ｓ７０１で受信された映像信号を表示部３２２へ送信する処理が行なわれる。Ｓ７０１で受信された映像信号は圧縮されているため、映像信号伸張部３２１において伸張処理がされた後、表示部３２２へ送信される。その結果、表示部３２２でドアホン親機２００のカメラ部２１９で撮影された映像が表示される。Ｓ７０４において、Ｓ７０２で受信された音声信号をスピーカ部３２３へ送信する処理が行なわれる。その結果、スピーカ部３２３でドアホン親機２００のマイク部２０９に入力されたドアホン親機２００の利用者の音声が出力される。
【００６４】
Ｓ７０５において、ドアホン副親機３００のマイク部３２４に入力されたドアホン副親機３００の利用者の音声の音声信号が無線送信部３１８を介してドアホン親機２００へ送信される。Ｓ７０６において、ドアホン親機２００との通話が終了したか否かが判定される。たとえば、ドアホン副親機３００の利用者がドアホン副親機３００の呼出応答ＳＷ部３１９を操作すれば、通話終了信号が生成され、生成された通話終了信号が制御部３２０で検知される。また、たとえば、ドアホン親機２００の利用者が呼出応答ＳＷ部２１１を操作すれば、通話終了信号が生成され、生成された通話終了信号が制御部２１２から無線送信部２１３を介してドアホン副親機３００の制御部３２０へ送信されてくる。制御部３２０で通話終了信号が検知されなければ、ドアホン親機２００との通話が終了していないと判定され、Ｓ７０１に戻る。一方、制御部３２０で通話終了信号が検知されれば、ドアホン親機２００との通話が終了したと判定され、Ｓ７０７において、ドアホン副親機３００を待機状態に移行する処理が行なわれる。ここでの待機状態とは、たとえば、ドアホン副親機３００の表示部３２２で映像の表示ができず、ドアホン副親機３００のスピーカ部３２３から音声の出力ができず、ドアホン副親機３００のマイク部３２４に音声の入力ができない状態をいう。待機状態に移行することにより、ドアホン副親機３００の消費電力を抑えることができる。
【００６５】
以上が、ドアホン親機２００の利用者がドアホン副親機３００を呼び出した場合に、ドアホン副親機３００の利用者がドアホン親機２００からの呼び出しに応答して、ドアホン親機２００の利用者とドアホン副親機３００の利用者とが通話する流れである。
【００６６】
次に、図８から図２２までを参照して、ドアホン副親機の利用者が他のドアホン（ドアホン親機２００およびドアホン副親機）を呼び出した場合に、ドアホンの利用者がドアホン副親機からの呼び出しに応答して、ドアホン副親機の利用者と通話する流れについて説明する。
【００６７】
まず、図８から図１０までを参照して、ドアホン副親機の利用者がドアホン親機２００を呼び出した場合に、ドアホン親機２００の利用者がドアホン副親機からの呼び出しに応答して、ドアホン副親機の利用者とドアホン親機２００の利用者とが通話する流れについて説明する。ここでは、説明の便宜のため、ドアホン副親機３００の利用者がドアホン親機２００を呼び出す例について説明する。
【００６８】
図８は、ドアホン副親機３００の制御部３２０が実行する室内呼出命令処理を示すフローチャートである。Ｓ８０１において、呼出信号が検知される。ドアホン副親機３００が待機状態である場合に、ドアホン副親機３００の利用者が呼出応答ＳＷ部３１９を操作すると、呼出信号が生成され、生成された呼出信号がドアホン副親機３００の制御部３２０で検知される。Ｓ８０２において、ドアホン副親機３００を起動状態に移行する処理が行なわれる。ここでの起動状態とは、たとえば、ドアホン副親機３００の表示部３２２で映像の表示ができ、ドアホン副親機３００のスピーカ部３２３から音声の出力ができ、ドアホン副親機３００のマイク部３２４に入力されたドアホン副親機３００の利用者の音声が音声信号に変換できる状態をいう。Ｓ８０３において、ドアホン副親機３００の表示部３２２へ無線テレビドアホンシステムに属しているドアホンの一覧（この実施の形態では、ドアホン親機２００およびドアホン副親機４００）を表示する処理が行なわれる。
【００６９】
Ｓ８０４において、ドアホン副親機３００の利用者により呼び出すドアホンとしてドアホン親機２００が選択されたか否かが判定される。ここでは、ドアホン副親機３００の利用者がドアホン親機２００を呼び出して、ドアホン副親機３００の利用者とドアホン親機２００の利用者とが通話する流れについて説明するので、ドアホン親機２００が選択されたと判定され、Ｓ８０５に進む。なお、ドアホンの選択は、前述したようにタッチパネルによるものでもよいし、切替ＳＷ部３２６を操作するものであってもよい。
【００７０】
Ｓ８０５において、ドアホン副親機３００の無線送信部３１８を介してドアホン親機２００へ、ドアホン親機２００を呼び出すための呼出命令信号が送信される。Ｓ８０６において、タイマ３２７が初期化される。タイマは、Ｓ８０５で呼出命令信号がドアホン親機２００へ送信されてから経過した時間を計測する。
【００７１】
Ｓ８０７において、ドアホン親機２００へ音声信号が送信される。この音声信号は、ドアホン副親機３００のマイク部３２４に入力されたドアホン副親機３００の利用者の音声の音声信号である。音声信号は、ドアホン副親機３００の無線送信部３１８を介してドアホン親機２００へ送信される。
【００７２】
Ｓ８０８において、後述する図９のＳ９０６でドアホン親機２００から送信された応答指令信号を受信したか否かが判定される。ドアホン親機２００が後述する呼出状態である場合に、ドアホン親機２００の利用者がドアホン副親機３００からの呼び出しに応答してもよいと判断して、ドアホン親機２００の呼出応答ＳＷ部２１１を操作すると、応答信号が生成され、生成された応答信号を検知したドアホン親機２００の制御部２１２がドアホン副親機３００へ応答指令信号を送信する。ドアホン親機２００から送信された応答指令信号を受信したと判定された場合は、Ｓ８１２において、ドアホン副親機３００の制御部３２０により室内応答２処理が実行される。詳しくは、図１０を参照しながら後述する。一方、応答指令信号を受信していないと判定された場合は、Ｓ８０９において、タイマがタイムアップしたか否かが判定される。タイマがタイムアップしていないと判定された場合は、Ｓ８０７に戻る。
【００７３】
一方、Ｓ８０９において、タイマがタイムアップしたと判定された場合は、Ｓ８１０に進む。Ｓ８１０において、ドアホン副親機３００を待機状態に移行する処理が行なわれる。これは、Ｓ８０９でタイマがタイムアップしたと判定された場合は、ドアホン親機２００の利用者がドアホン副親機３００からの呼び出しに応答しないと判定するためである。待機状態に移行することにより、ドアホン副親機３００の消費電力を抑えることができる。その後、このフローチャートは終了する。
【００７４】
図９は、ドアホン親機２００の制御部２１２が実行する室内呼出処理を示すフローチャートである。Ｓ９０１において、図８のＳ８０５でドアホン副親機３００から送信された呼出命令信号が無線受信部２１４を介して受信される。Ｓ９０２において、ドアホン親機２００を呼出状態に移行する処理が行なわれる。ここでの呼出状態とは、たとえば、ドアホン親機２００の表示部２０７およびスピーカ部２０８が起動状態となり、ドアホン親機２００の表示部２０７へドアホン副親機３００から呼び出されている旨が表示されたり、ドアホン親機２００のスピーカ部２０８から予め定められた報知音が鳴動されたり、ドアホン親機２００のＬＥＤ２１６が点灯されたりする状態をいう。
【００７５】
Ｓ９０３において、図８のＳ８０７でドアホン副親機３００から送信された音声信号が無線受信部２１４を介して受信される。Ｓ９０４において、Ｓ９０３で受信された音声信号をスピーカ部２０８へ送信する処理が行なわれる。その結果、スピーカ部２０８でドアホン副親機３００のマイク部３２４に入力されたドアホン副親機３００の利用者の音声が出力される。
【００７６】
Ｓ９０５において、ドアホン副親機３００からの呼び出しに対する応答信号を検知したか否かが判定される。応答信号は、たとえば、ドアホン親機２００が呼出状態に移行されたことにより、表示部２０７に表示されたドアホン副親機３００から呼び出されている旨を見たり、スピーカ部２０８から出力される報知音を聞いたり、Ｓ９０４でスピーカ部２０８に出力された音声を聞いたりしたドアホン親機２００の利用者がドアホン副親機３００の呼び出しに応答してもよいと判断して呼出応答ＳＷ部２１１を操作したときに生成され、制御部２１２で検知される。ドアホン親機２００近くに住人等がおらず、呼出応答ＳＷ部２１１が操作されないために、応答信号を検知していないと判定された場合は、Ｓ９０３に戻る。一方、応答信号を検知したと判定された場合は、Ｓ９０６に進む。
【００７７】
Ｓ９０６において、無線送信部２１３を介してドアホン副親機３００へ応答指令信号が送信される。応答指令信号は、Ｓ９０５でドアホン親機２００の制御部２１２が応答信号を検知したと判定したときに生成される。この応答指令信号を、図８のＳ８０８で受信したと判定されたときに、Ｓ８１２の処理が行なわれる。Ｓ９０７において、カメラ部２１９が起動される。Ｓ９０８において、ドアホン親機２００の制御部２１２により通話許可処理が実行される。ドアホン親機２００の制御部２１２により実行される通話許可処理は、図５で説明したのでここでは省略する。その後、このフローチャートは終了する。
【００７８】
図１０は、ドアホン副親機３００の制御部３２０が実行する室内応答２処理を示すフローチャートである。Ｓ１００１において、図５のＳ５０１でドアホン親機２００から送信された通話許可信号が無線受信部３１７を介して受信される。Ｓ１００２において、ドアホン副親機３００を通話状態に移行する処理が行なわれる。Ｓ１００３において、ドアホン副親機３００の制御部３２０により室内通話処理が実行される。ドアホン副親機３００の制御部３２０により実行される室内通話処理は、図７で説明したのでここでは省略する。その後、このフローチャートは終了する。
【００７９】
以上が、ドアホン副親機３００の利用者がドアホン親機２００を呼び出した場合に、ドアホン親機２００の利用者がドアホン副親機３００からの呼び出しに応答して、ドアホン副親機３００の利用者とドアホン親機２００の利用者とが通話する流れである。
【００８０】
次に、図８および図１１から図２２までを参照して、ドアホン副親機３００の利用者がドアホン副親機４００を呼び出した場合に、ドアホン副親機４００の利用者がドアホン副親機３００からの呼び出しに応答して、ドアホン副親機３００の利用者とドアホン副親機４００の利用者とが通話する流れについて説明する。
【００８１】
ここでは、ドアホン親機２００、ドアホン副親機３００およびドアホン副親機４００との間の無線通信にＢｌｕｅｔｏｏｔｈを使用している例について説明する。Ｂｌｕｅｔｏｏｔｈの特徴の一つにピコネットと呼ばれるものがある。ドアホン親機２００、ドアホン副親機３００およびドアホン副親機４００との間の無線通信にＢｌｕｅｔｏｏｔｈを使用すると、それぞれのドアホンに特別の設定をすることなく、アドホック接続できるという特長がある。このとき形成される無線通信リンク（ネットワーク）をピコネットという。
【００８２】
基本の無線通信リンクの形態では、ドアホン親機２００をマスター（Master）とし、ドアホン副親機３００およびドアホン副親機４００をスレーブ（Slave）としてピコネットを形成している。以下、説明するドアホン副親機３００とドアホン副親機４００とが通信を行なう場合、ドアホン親機２００とドアホン副親機３００との間の無線通信リンクが切断され、ドアホン副親機３００とドアホン副親機４００との間で新たに無線通信リンクが形成される。このとき、ドアホン副親機３００はスレーブからマスターになる。その結果、ドアホン副親機３００とドアホン副親機４００とが通信を行なう場合、一時的にドアホン副親機３００とドアホン副親機４００とが一つのピコネットを形成することでドアホン親機２００を経由させず、ドアホン副親機３００とドアホン副親機４００とが通信を行なうことができる。
【００８３】
図８を参照して、Ｓ８０４において、ドアホン副親機３００の利用者により呼び出すドアホンとしてドアホン親機２００が選択されなかった場合（すなわち、ドアホン副親機４００を選択した場合）について説明する。Ｓ８０４において、ドアホン親機２００が選択されたか否かが判定される。ここでは、ドアホン副親機３００の利用者がドアホン副親機４００を呼び出して、ドアホン副親機３００の利用者とドアホン副親機４００の利用者とが通話する流れについて説明するので、ドアホン親機２００が選択されていないと判定され、Ｓ８１１に進む。Ｓ８１１において、ドアホン副親機３００の制御部３２０によりドアホン副親機間の通信リンク接続処理が実行される。その後、このフローチャートは終了する。
【００８４】
図１１は、ドアホン副親機３００の制御部３２０が実行するドアホン副親機３００とドアホン副親機４００との間の無線通信リンクを接続する通信リンク接続処理を示すフローチャートである。Ｓ１１０１において、ドアホン副親機３００とドアホン親機２００との間で確立されていた無線通信リンクの切断を要求する信号（リンク切断要求信号）がドアホン副親機３００の無線送信部３１８を介してドアホン親機２００へ送信される。Ｓ１１０２において、Ｓ１１０１で送信されたリンク切断要求信号に対して後述する図１２の１２０２でドアホン親機２００から送信されたリンク切断応答信号が受信される。Ｓ１１０３において、Ｓ１１０２でドアホン親機２００から送信されたリンク切断応答信号が受信されたので、ドアホン親機２００との無線通信リンクが切断される。
【００８５】
Ｓ１１０４において、ドアホン副親機３００の無線送信部３１８を介してドアホン副親機４００へ無線通信リンクの接続を要求する信号（リンク接続要求信号）が送信される。Ｓ１１０５において、Ｓ１１０４で送信されたリンク接続要求信号に対して後述する図１３のＳ１３０２でドアホン副親機４００から送信されたリンク接続応答信号が受信される。Ｓ１１０６において、Ｓ１１０５でドアホン副親機４００から送信されたリンク接続応答信号が受信されたので、ドアホン副親機４００との無線通信リンクが接続される。以上までの処理によって、ドアホン副親機３００は、スレーブからマスターになる。Ｓ１１０７において、ドアホン副親機３００からドアホン副親機４００を呼び出すために、ドアホン副親機３００の制御部３２０により室内呼出命令処理が実行される。その後、このフローチャートは終了する。
【００８６】
図１２は、ドアホン親機２００の制御部２１２が実行するドアホン親機２００とドアホン副親機３００との間の無線通信リンクを切断する通信リンク切断処理を示すフローチャートである。Ｓ１２０１において、図１１のＳ１１０１でドアホン副親機３００から送信されたリンク切断要求信号が無線受信部２１４を介して受信される。Ｓ１２０２において、Ｓ１２０１で受信されたリンク切断要求信号に対して無線送信部２１３を介してドアホン副親機３００へリンク切断応答信号が送信される。Ｓ１２０３において、Ｓ１２０２でドアホン親機２００へリンク切断応答信号が送信されたので、ドアホン副親機３００との無線通信リンクが切断される。Ｓ１２０４において、ドアホン親機２００を待機状態に移行する処理が行なわれる。待機状態に移行することにより、ドアホン親機２００の消費電力を抑えることができる。その後、このフローチャートは終了する。
【００８７】
図１３は、ドアホン副親機４００の制御部３２０が実行するドアホン副親機４００とドアホン副親機３００との間の無線通信リンクを接続する通信リンク接続処理を示すフローチャートである。Ｓ１３０１において、図１１のＳ１１０４でドアホン副親機３００から送信されたリンク接続要求信号がドアホン副親機４００の無線受信部３１７を介して受信される。Ｓ１３０２において、Ｓ１３０１で受信されたリンク接続要求信号に対してドアホン副親機４００の無線送信部３１８を介してドアホン副親機３００へリンク接続応答信号が送信される。Ｓ１３０３において、Ｓ１３０２でドアホン副親機３００へリンク接続応答信号が送信されたので、ドアホン副親機３００との無線通信リンクが接続される。以上までの処理によって、ドアホン副親機３００をマスターとし、ドアホン副親機４００をスレーブとする一つのピコネットが形成される。Ｓ１３０４において、ドアホン副親機３００からの呼び出しに応じてドアホン副親機４００の制御部３２０により室内呼出処理が実行される。その後、このフローチャートは終了する。
【００８８】
図１４は、ドアホン副親機３００の制御部３２０が実行する室内呼出命令処理を示すフローチャートである。図１４は、ドアホン副親機３００からドアホン副親機４００を呼び出すときに実行される。Ｓ１４０１において、ドアホン副親機３００の無線送信部３１８を介してドアホン副親機４００へ、ドアホン副親機４００を呼び出すための呼出命令信号が送信される。Ｓ１４０１では、図８のＳ８０４でドアホン副親機４００が選択されたので、ドアホン副親機４００へ呼出命令信号が送信される。たとえば、無線テレビドアホンシステムにドアホン副親機３００およびドアホン副親機４００以外のドアホン副親機が属している場合、図８のＳ８０４でドアホン副親機３００およびドアホン副親機４００以外のドアホン副親機が選択された場合、その選択されたドアホン副親機に呼出命令信号が送信されることになる。
【００８９】
Ｓ１４０３において、ドアホン副親機３００のタイマ３２７が初期化される。タイマは、Ｓ１４０１で呼出命令信号がドアホン副親機４００へ送信されてから経過した時間を計測する。Ｓ１４０４において、ドアホン副親機４００へ音声信号が送信される。この音声信号は、ドアホン副親機３００のマイク部３２４に入力されたドアホン副親機３００の利用者の音声の音声信号である。音声信号は、ドアホン副親機３００の無線送信部３１８を介してドアホン副親機４００へ送信される。
【００９０】
Ｓ１４０５において、後述する図１６のＳ１６０１でドアホン副親機４００から送信された応答指令信号を受信したか否かが判定される。応答指令信号は、ドアホン副親機４００の利用者がドアホン副親機３００からの呼び出しに応答してもよいと判断したときに、ドアホン副親機４００の呼出応答ＳＷ部３１９が操作されることにより生成され、ドアホン副親機４００から送信されてくる。ドアホン副親機４００から送信された応答指令信号を受信したと判定された場合は、Ｓ１４０８において、マスターであるドアホン副親機３００からスレーブであるドアホン副親機４００へ通話許可信号を送信する通話許可処理がドアホン副親機３００の制御部３２０により実行される。その後、このフローチャートは終了する。
【００９１】
一方、Ｓ１４０５において、ドアホン副親機４００からの応答指令信号を受信していないと判定された場合は、Ｓ１４０６において、タイマがタイムアップしたか否かが判定される。タイマがタイムアップしていないと判定された場合は、Ｓ１４０４に戻る。一方、タイマがタイムアップしたと判定された場合は、Ｓ１４０７に進む。Ｓ１４０７において、ドアホン副親機４００を呼び出したにもかかわらず、一定時間が経過してもドアホン副親機４００から応答指令信号が送信されてこないため、ドアホン副親機３００とドアホン副親機４００との間の無線通信リンクを切断する通信リンク切断処理がドアホン副親機３００の制御部３２０により実行される。その後、このフローチャートは終了する。
【００９２】
図１５は、ドアホン副親機４００の制御部３２０が実行する室内呼出処理を示すフローチャートである。この処理は、ドアホン副親機３００から呼び出されたときに実行される。Ｓ１５０１において、図１４のＳ１４０１でドアホン副親機３００から送信された呼出命令信号がドアホン副親機４００の無線受信部３１７を介して受信される。
【００９３】
Ｓ１５０２において、ドアホン副親機４００を呼出状態に移行する処理が行なわれる。ここでの呼出状態とは、たとえば、ドアホン副親機４００の表示部３２２およびスピーカ部３２３が起動状態となり、ドアホン副親機４００の表示部３２２へドアホン副親機３００から呼び出されている旨が表示されたり、ドアホン副親機４００のスピーカ部３２３から予め定められた報知音が鳴動されたり、ドアホン副親機４００のＬＥＤ３２５を点灯されたりする状態をいう。
【００９４】
Ｓ１５０３において、図１４のＳ１４０４でドアホン副親機３００から送信された音声信号がドアホン副親機４００の無線受信部３１７を介して受信される。Ｓ１５０４において、ドアホン副親機４００の表示部３２２へドアホン副親機３００からの呼出表示が出力される。たとえば、ドアホン副親機４００の制御部３２０に設けられている記憶部（図示せず）に予め記憶されている文字データあるいは画像データがドアホン副親機４００の表示部３２２へ出力されて「ドアホン副親機３００から呼出」がある旨が呼出表示される。
【００９５】
Ｓ１５０５において、Ｓ１５０３で受信された音声信号をドアホン副親機４００のスピーカ部３２３へ送信する処理が行なわれる。その結果、ドアホン副親機４００のスピーカ部３２３でドアホン副親機３００のマイク部３２４に入力されたドアホン３００の利用者の音声が出力される。Ｓ１５０６において、ドアホン副親機３００からの呼び出しに対する応答信号を検知したか否かが判定される。応答信号は、たとえば、ドアホン副親機４００が呼出状態に移行されたことにより、ドアホン副親機４００の表示部３２２に表示されたドアホン副親機３００から呼び出されている旨の表示を見たり、ドアホン副親機４００のスピーカ部３２３から出力される報知音を聞いたり、Ｓ１５０４でドアホン副親機４００の表示部３２２に表示された映像を見たり、Ｓ１５０５でドアホン副親機４００のスピーカ部３２３に出力された音声を聞いたりしたドアホン副親機４００の利用者が、ドアホン副親機３００からの呼び出しに応答してもよいと判断して呼出応答ＳＷ部３１９を操作したときに生成され、制御部３２０で検知される。ドアホン副親機４００の近くに住人等がおらず、呼出応答ＳＷ部３１９が操作されないために、応答信号を検知していないと判定された場合は、Ｓ１５０３に戻る。一方、応答信号を検知したと判定された場合は、Ｓ１５０７に進み、ドアホン副親機４００の制御部３２０により室内応答処理が実行された後、このフローチャートは終了する。
【００９６】
図１６は、ドアホン副親機４００の制御部３２０が実行する室内応答処理を示すフローチャートである。Ｓ１６０１において、ドアホン副親機４００の無線送信部３１８を介してドアホン副親機３００へ応答指令信号が送信される。これは、図１５のＳ１５０６でドアホン副親機３００からの呼び出しに対する応答信号が検知されたことに基づいて実行される。
【００９７】
Ｓ１６０２において、後述する図１７のＳ１７０１でマスターであるドアホン副親機３００から送信された通話許可信号がドアホン副親機４００の無線受信部３１７を介して受信される。Ｓ１６０３において、ドアホン副親機４００を通話状態に移行する処理が行なわれる。Ｓ１６０４において、ドアホン副親機４００の制御部３２０によりドアホン副親機４００とドアホン副親機３００との通話を制御する室内通話処理が実行される。その後、このフローチャートは終了する。
【００９８】
図１７は、ドアホン副親機３００の制御部３２０が実行する通話許可処理を示すフローチャートである。この通話許可処理は、図１４のＳ１４０８で実行される処理である。Ｓ１７０１において、ドアホン副親機３００の無線送信部３１８を介してドアホン副親機４００へ通話許可信号が送信される。図１４のＳ１４０５でドアホン副親機４００から応答指令信号を受信したということは、ドアホン副親機４００の利用者がドアホン副親機３００の利用者と通話する意思があるということなので、ドアホン副親機４００との通信を確立するために通話許可信号が送信される。Ｓ１７０２において、ドアホン副親機３００の制御部３２０によりドアホン副親機３００とドアホン副親機４００との通話を制御する室内通話処理が実行される。その後、このフローチャートは終了する。
【００９９】
図１８は、ドアホン副親機３００の制御部３２０が実行する室内通話処理を示すフローチャートである。Ｓ１８０１において、ドアホン副親機３００の無線送信部３１７を介してドアホン副親機４００へ音声信号が送信される。この音声信号は、ドアホン副親機３００の利用者がドアホン副親機４００の利用者と通話するにあたり、ドアホン副親機３００のマイク部３２４に音声を入力することにより生成される。
【０１００】
Ｓ１８０２において、後述する図１９のＳ１９０１でドアホン副親機４００から送信された音声信号がドアホン副親機３００の無線受信部３１７を介して受信される。Ｓ１８０３において、ドアホン副親機３００のスピーカ部３２３へＳ１８０２で受信された音声信号を送信する処理が行なわれる。その結果、ドアホン副親機３００のスピーカ部３２３でドアホン副親機４００のマイク部３２４に入力された音声が出力される。
【０１０１】
Ｓ１８０４において、ドアホン副親機４００との通話が終了したか否かが判定される。たとえば、ドアホン副親機４００の利用者がドアホン副親機４００の呼出応答ＳＷ部３１９を操作すれば、たとえば、通話の終了を示す通話終了信号が生成され、生成された通話終了信号がドアホン副親機４００の制御部３２０からドアホン副親機４００の無線送信部３１８を介してドアホン副親機３００の制御部３２０へ送信されてくる。また、たとえば、ドアホン副親機３００の利用者がドアホン副親機４００の利用者がドアホン副親機４００の呼出応答ＳＷ部３１９を操作するよりも先にドアホン副親機３００の呼出応答ＳＷ部３１９を操作すれば、通話終了信号が生成され、生成された通話終了信号がドアホン副親機３００の制御部３２０で検知される。制御部３２０で通話終了信号が検知されなければ、ドアホン副親機３００とドアホン副親機４００との通話が終了していないと判定され、Ｓ１８０１に戻る。一方、ドアホン副親機３００の制御部３２０で通話終了信号が検知されれば、ドアホン副親機３００とドアホン副親機４００との通話が終了したと判定され、Ｓ１８０５において、ドアホン副親機３００の制御部３２０によりドアホン副親機３００とドアホン副親機４００との間の無線通信のリンクを切断する通信リンク切断処理が実行される。その後、このフローチャートは終了する。
【０１０２】
図１９は、ドアホン副親機４００の制御部３２０が実行する室内通話処理を示すフローチャートである。Ｓ１９０１において、ドアホン副親機４００の無線送信部３１７を介してドアホン副親機３００へ音声信号が送信される。この音声信号は、ドアホン副親機４００の利用者がドアホン副親機３００の利用者と通話するにあたり、ドアホン副親機４００のマイク部３２４に音声を入力することにより生成される。
【０１０３】
Ｓ１９０２において、図１８のＳ１８０１でドアホン副親機３００から送信された音声信号がドアホン副親機４００の無線受信部３１７を介して受信される。Ｓ１９０３において、ドアホン副親機４００のスピーカ部３２３へＳ１９０２で受信された音声信号を送信する処理が行なわれる。その結果、ドアホン副親機４００のスピーカ部３２３でドアホン副親機３００のマイク部３２４に入力された音声が出力される。
【０１０４】
Ｓ１９０４において、ドアホン副親機３００との通話が終了したか否かが判定される。前述したように通信終了信号がドアホン副親機４００の制御部３２０で検知されなけなければ、ドアホン副親機４００とドアホン副親機３００との通話が終了していないと判定され、Ｓ１９０１に戻る。一方、ドアホン副親機４００の制御部３２０で通話終了信号が検知されれば、ドアホン副親機４００とドアホン副親機３００との通話が終了したと判定され、Ｓ１９０５において、ドアホン副親機４００の制御部３２０によりドアホン副親機４００とドアホン副親機３００との間の無線通信のリンクを切断する通信リンク切断処理が実行される。その後、このフローチャートは終了する。
【０１０５】
図２０は、ドアホン副親機３００の制御部３２０が実行するドアホン副親機３００とドアホン副親機４００との間の無線通信リンクを切断する通信リンク切断処理を示すフローチャートである。Ｓ２００１において、ドアホン副親機３００とドアホン副親機４００との間で確立されていた無線通信リンクの切断を要求するリンク切断要求信号がドアホン副親機３００の無線送信部３１８を介してドアホン副親機４００へ送信される。Ｓ２００２において、Ｓ２００１で送信されたリンク切断要求信号に対して後述する図２１のＳ２１０２でドアホン副親機４００から送信されたリンク切断応答信号が受信される。Ｓ２００３において、Ｓ２００２でドアホン副親機４００から送信されたリンク切断応答信号が受信されたので、ドアホン副親機４００との無線通信リンクが切断される。
【０１０６】
Ｓ２００４において、ドアホン副親機３００の無線送信部３１８を介してドアホン親機２００へ無線通信リンクの接続を要求するリンク接続要求信号が送信される。Ｓ２００５において、Ｓ２００４で送信されたリンク接続要求信号に対して後述する図２２のＳ２２０２でドアホン親機２００から送信されたリンク接続応答信号が受信される。Ｓ２００６において、Ｓ２００５でドアホン親機２００から送信されたリンク接続応答信号が受信されたので、ドアホン親機２００との無線通信リンクが接続される。以上までの処理によって、ドアホン副親機３００は、マスターからスレーブになる。Ｓ２００７において、ドアホン副親機３００を待機状態に移行する処理が行なわれる。待機状態に移行することにより、ドアホン副親機３００の消費電力を抑えることができる。その後、このフローチャートは終了する。
【０１０７】
図２１は、ドアホン副親機４００の制御部３２０が実行するドアホン副親機４００とドアホン副親機３００との間の無線通信リンクを切断する通信リンク切断処理を示すフローチャートである。Ｓ２１０１において、図２０のＳ２００１でドアホン副親機３００から送信されたリンク切断要求信号が受信される。Ｓ２１０２において、Ｓ２１０１で受信されたリンク切断要求信号に対してドアホン副親機４００の無線送信部３１８を介してドアホン副親機３００へリンク切断応答信号が送信される。Ｓ２１０３において、Ｓ２１０２でドアホン副親機３００へリンク切断応答信号が送信されたので、ドアホン副親機３００との無線通信リンクが切断される。Ｓ２１０４において、ドアホン副親機４００を待機状態に移行する処理が行なわれる。待機状態に移行することにより、ドアホン副親機４００の消費電力を抑えることができる。その後、このフローチャートは終了する。
【０１０８】
図２２は、ドアホン親機２００の制御部２１２が実行するドアホン親機２００とドアホン副親機３００との間の無線通信リンクを接続する通信リンク接続処理を示すフローチャートである。Ｓ２２０１において、図２０のＳ２００４でドアホン副親機３００から送信されたリンク接続要求信号が受信される。Ｓ２２０２において、Ｓ２２０１で受信されたリンク接続要求信号に対してドアホン親機２００の無線送信部２１３を介してドアホン副親機３００へリンク接続応答信号が送信される。Ｓ２２０３において、Ｓ２２０２でドアホン副親機３００へリンク接続応答信号が送信されたので、ドアホン副親機３００との無線通信リンクが接続される。Ｓ２２０４において、ドアホン親機２００を待機状態に移行する処理が行なわれる。待機状態に移行することにより、ドアホン親機２００の消費電力を抑えることができる。その後、このフローチャートは終了する。
【０１０９】
以上が、ドアホン副親機３００がドアホン副親機４００を呼び出した場合に、ドアホン副親機４００がドアホン副親機３００からの呼び出しに応答して、ドアホン副親機３００の利用者とドアホン副親機４００の利用者とが通話する流れである。
【０１１０】
前述の実施の形態では、ドアホン副親機３００およびドアホン副親機４００にはカメラ部と映像信号圧縮部とが備えられておらず、またドアホン親機２００には映像信号伸張部が備えられておらず、ドアホン親機２００の利用者とドアホン副親機３００またはドアホン副親機４００の利用者とが通話する場合に、ドアホン副親機３００またはドアホン副親機４００の利用者がドアホン親機２００の利用者を確認しながら通話できる例を示したが、これに限られない。ドアホン副親機３００およびドアホン副親機４００にカメラ部と映像信号圧縮部とが備えられていて、またドアホン親機２００に映像信号伸張部が備えられていて、ドアホン親機２００の利用者がドアホン副親機３００またはドアホン副親機４００の利用者を確認しながら通話できるものであってもよい。
【０１１１】
以上説明したように、ドアホン副親機がドアホン親機２００から呼び出された場合に、ドアホン副親機のスピーカ部３２３にドアホン親機２００のマイク部２０９に入力されたドアホン親機２００の利用者の音声が出力されるだけでなく、ドアホン副親機の表示部３２２にドアホン親機２００が備えるカメラ部２１９で撮影された映像が表示されるため、ドアホン副親機の利用者は、呼出状態においてドアホン親機２００の利用者を確認することができる。
【０１１２】
また、ドアホン副親機がドアホン親機２００から呼び出された場合に、ドアホン副親機のスピーカ部３２３にドアホン親機２００のマイク部２０９に入力されたドアホン親機２００の利用者の音声が出力されるだけでなく、ドアホン副親機の表示部３２２にドアホン親機２００が備えるカメラ部２１９で撮影された映像が表示されるため、ドアホン副親機の利用者は、ドアホン親機２００の利用者を確認しながらドアホン親機２００からの呼び出しに応答するか否かを決めることができる。また、ドアホン副親機の利用者がドアホン親機２００からの呼び出しに応答してドアホン親機２００の利用者と通話する場合に、ドアホン親機２００の利用者を確認しながら通話することができる。
【０１１３】
また、ドアホン副親機３００がドアホン副親機４００を呼び出す場合は、ドアホン副親機３００とドアホン親機２００との無線通信リンクが切断され、ドアホン副親機３００とドアホン副親機４００との無線通信リンクが接続されるため、ドアホン副親機３００がドアホン親機２００を介することなくドアホン副親機４００を呼び出すことができる。また、ドアホン副親機３００がドアホン副親機４００を呼び出す場合に、ドアホン親機２００はドアホン副親機３００からドアホン副親機４００を呼び出すための呼出命令信号を受信して、受信した呼出命令信号をドアホン副親機４００へ送信する処理を行なわなくてよいため、ドアホン親機２００の処理負担を軽減することができる。
【０１１４】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１１５】
【図１】無線テレビドアホンシステムを示すブロック図である。
【図２】ドアホン親機の制御部が実行する室内呼出命令処理を示すフローチャートである。
【図３】ドアホン副親機の制御部が実行する室内呼出処理を示すフローチャートである。
【図４】ドアホン副親機の制御部が実行する室内応答処理を示すフローチャートである。
【図５】ドアホン親機の制御部が実行する通話許可処理を示すフローチャートである。
【図６】ドアホン親機の制御部が実行する室内通話処理を示すフローチャートである。
【図７】ドアホン副親機の制御部が実行する室内通話処理を示すフローチャートである。
【図８】ドアホン副親機の制御部が実行する室内呼出命令処理を示すフローチャートである。
【図９】ドアホン親機の制御部が実行する室内呼出処理を示すフローチャートである。
【図１０】ドアホン副親機の制御部が実行する室内応答２処理を示すフローチャートである。
【図１１】ドアホン副親機の制御部が実行するドアホン副親機とドアホン副親機との間の無線通信リンクを接続する通信リンク接続処理を示すフローチャートである。
【図１２】ドアホン親機の制御部が実行するドアホン親機とドアホン副親機との間の無線通信リンクを切断する通信リンク切断処理を示すフローチャートである。
【図１３】ドアホン副親機の制御部が実行するドアホン副親機とドアホン副親機との間の無線通信リンクを接続する通信リンク接続処理を示すフローチャートである。
【図１４】ドアホン副親機の制御部が実行する室内呼出命令処理を示すフローチャートである。
【図１５】ドアホン副親機の制御部が実行する室内呼出処理を示すフローチャートである。
【図１６】ドアホン副親機の制御部が実行する室内応答処理を示すフローチャートである。
【図１７】ドアホン副親機の制御部が実行する通話許可処理を示すフローチャートである。
【図１８】ドアホン副親機の制御部が実行する室内通話処理を示すフローチャートである。
【図１９】ドアホン副親機の制御部が実行する室内通話処理を示すフローチャートである。
【図２０】ドアホン副親機の制御部が実行するドアホン副親機とドアホン副親機との間の無線通信リンクを切断する通信リンク切断処理を示すフローチャートである。
【図２１】ドアホン副親機の制御部が実行するドアホン副親機とドアホン副親機との間の無線通信リンクを切断する通信リンク切断処理を示すフローチャートである。
【図２２】ドアホン親機の制御部が実行するドアホン親機とドアホン副親機との間の無線通信リンクを接続する通信リンク接続処理を示すフローチャートである。
【符号の説明】
【０１１６】
１００  ドアホン子機、１０１  カメラ部、１０２  スピーカ部、１０３  マイク部、１０４  呼出ＳＷ部、１０５  多重化分離化回路部、２００  ドアホン親機、２０６  多重化分離化回路部、２０７  表示部、２０８  スピーカ部、２０９  マイク部、２１０  映像信号圧縮部、２１１  呼出応答ＳＷ部、２１２  制御部、２１３  無線送信部、２１４  無線受信部、２１５  タイマ、２１６  ＬＥＤ、２１７  切替ＳＷ部、２１８  デコーダ部、２１９  カメラ部、３００  ドアホン副親機、３１７  無線受信部、３１８  無線送信部、３１９  呼出応答ＳＷ部、３２０  制御部、３２１  映像信号伸張部、３２２  表示部、３２３  スピーカ部、３２４  マイク部、３２５  ＬＥＤ、３２６  切替ＳＷ部、４００  ドアホン副親機。
【図１】
2006180207.tif 000003
【図２】
2006180207.tif 000004
【図３】
2006180207.tif 000005
【図４】
2006180207.tif 000006
【図５】
2006180207.tif 000007
【図６】
2006180207.tif 000008
【図７】
2006180207.tif 000009
【図８】
2006180207.tif 000010
【図９】
2006180207.tif 000011
【図１０】
2006180207.tif 000012
【図１１】
2006180207.tif 000013
【図１２】
2006180207.tif 000014
【図１３】
2006180207.tif 000015
【図１４】
2006180207.tif 000016
【図１５】
2006180207.tif 000017
【図１６】
2006180207.tif 000018
【図１７】
2006180207.tif 000019
【図１８】
2006180207.tif 000020
【図１９】
2006180207.tif 000021
【図２０】
2006180207.tif 000022
【図２１】
2006180207.tif 000023
【図２２】
2006180207.tif 000024